(57)【要約】【課題】ゴルフパター練習用補助具を取り付けてもパターヘッドの重心が変わらないこと。ゴルフパターの練習の一方法としてゴルフボールの真上に目線を置いたパッテング姿勢から、ゴルフボールを打つ練習が出来るゴルフパター練習用補助具を提供する。【解決手段】ゴルフパター練習用補助具１は、ゴルフパターのシャフト１３に取り付けるゴルフパター練習用補助具１であり、クリップ８とこれに取り付けた照準板２より構成し、ゴルフパター練習用補助具１の取り付けは、クリップ８にバネ６付勢した一対のクリップ片ａ９とクリップ片ｂ１０でシャフト１３を挟んで、通常のアドレスポジションをとってパターヘッド１１を置いた時、パターヘッドのトー２１とヒール２０を貫く鉛直面と水平方向直角で、照準板２はパターフェース並行確認線３とパターフェース１２とを平行にした時、パターフェース１２と水平方向直角なるように取り付けたゴルフパター練習用補助具１。【選択図】図３
2011087687.tif 000002
【特許請求の範囲】
【請求項１】
ゴルフパターのシャフト（１３）に取り付けるゴルフパター練習用補助具（１）であって、クリップ（８）とこれに取り付けた照準板（２）より構成し、前記クリップ（８）はバネ（６）付勢した一対のクリップ片ａ（９）とクリップ片ｂ（１０）でシャフト（１３）を挟んで、パターヘッド（１１）をソール（２４）がパターフェース（１２）の中央真下の点で水平面に接するように置いた時、パターヘッドのトー（２１）とパターヘッドのヒール（２０）を貫く鉛直面と水平方向直角に前記クリップ（８）をシャフト（１３）取り付け、前記照準板（２）は、前記クリップ（８）の一方のクリップ片ａ（９）又はクリップ片ｂ（１０）に、パターフェース（１２）と水平方向直角なるように取り付けたことを特徴とするゴルフパター練習用補助具（１）。
【発明の詳細な説明】
【技術分野】
【０００１】
本発明は、ゴルフパター練習用補助具である。
【背景技術】
【０００２】
従来のゴルフパター練習用補助具としては、ゴルフパターのヘッド先端にネジで矯正板を取り付けたものがある。（実用新案登録第3104192号参照）。これは目で矯正板を見た時、矯正板面と視線が一致することで姿勢を確認して、目標に向かって矯正面が一直線になるようにゴルフパターをスイングしてゴルフボールを打つ道具で、ゴルファー固有の体型、癖等により各自の異なった固有の姿勢で練習が出来る。しかし、パターヘッドに矯正板を取り付けているので、矯正板の取り付け前後ではパターヘッドの重心が変わってしまうという課題と、ゴルファー固有の体型、癖等により各自の異なった固有の姿勢を矯正して、目線をゴルフボールの真上に置いたパッテング姿勢でゴルフボールを打てないという課題があった。
【特許文献１】実用新案登録第３１０４１９２号公報
【発明の開示】
【発明が解決しようとする課題】
【０００３】
ゴルフパターの練習の為、ゴルフパター練習用補助具をゴルフパターに取り付けてもパターヘッドの重心が変わらないこと。パッテングの一打ごとに姿勢が変わることはパッテングの安定性が欠ける為、パッテング姿勢の一つの鋳型をつくることが、パッテング向上の一つの方法である。そこでゴルフパターのパッテング姿勢の鋳型をつくる一方法としてゴルフボールの真上に目線を置いたパッテング姿勢に矯正し、その矯正姿勢から目標ラインに対してパターフェースを直角にしてゴルフボールを打つ練習が出来るゴルフパター練習用補助具を考案することが本考案の課題である。
【課題を解決するための手段】
【０００４】
本考案のゴルフパター練習用補助具は、前記課題を解決する為に、ゴルフパターのシャフトに取り付けるゴルフパター練習用補助具であって、クリップとこれに取り付けた照準板より構成し、前記クリップはバネ付勢した一対のクリップ片ａとクリップ片ｂでシャフトを挟んで、パターヘッドのソールがパターフェースの中央真下の点で水平面に接するように置いた時、パターヘッドのトーとパターヘッドのヒールを貫く鉛直面と水平方向直角にクリップを取り付け、クリップ片ａ、又はクリップ片ｂのパターフェース並行確認線とパターフェースとを平行にし、照準板をクリップの一方のクリップ片ａ、又はクリップ片ｂに、パターフェースと水平方向直角なるように取り付けたことを特徴とするゴルフパター練習用補助具。
【発明の効果】
【０００５】
ゴルフパター練習用補助具はゴルフパターのシャフトにクリップで取り付ける為、パターヘッドの重心はゴルフパター練習用補助具を取り付け前後で変化はしない。
【０００６】
パターヘッドをソールがパターフェースの中央真下の点で水平面に接するように置いた時、クリップをパターヘッドのトーとパターヘッドのヒールを貫く鉛直面と水平方向直角で、クリップ片ａ、又はクリップ片ｂのパターフェース並行確認線とパターフェースとを平行にし、照準板はゴルフパター練習用補助具のクリップの一方のクリップ片ａ、又はクリップ片ｂにパターフェース面と水平方向直角なるように、ゴルフパター練習用補助具をシャフトに取り付けると、照準板の相対位置確認線の方向を目標に合わせ、ゴルフボールの中心とパターヘッドの中心を一致させ、照準板の相対位置確認線がゴルフボールと重なる線が最大の長さとなるようにゴルフボールを見下す目線に変えることにより、練習者の目線を、ゴルフボールの真上とする、パッテング姿勢に矯正することが出来る。練習毎、同じ設定動作をすることにより、同じパッテング姿勢で練習をすることが出来る。
【０００７】
パッテングの練習の為、前記設定した練習者の目線がゴルフボールの真上で、照準板の相対位置確認線がゴルフボールと重なる線が最大の長さとなるゴルフボールを見下したパッテング姿勢で、照準板の相対位置確認線つかい、照準板の相対位置確認線の方向を目標に合わせ、テークバックを照準板の相対位置確認線がゴルフボールと重なる線が最大となる線と目標との直線に対し、照準板の相対位置確認線が真っ直ぐに通過するようにパターヘッドを引き、ゴルフボールを打つ時は、テークバック時と同様な直線に対し、照準板の相対位置確認線が真っ直ぐに通過するようにパターヘッドを送り出す練習が出来る。すなわち、照準板の相対位置確認線がゴルフボールと重なる線が最大の長さとなる線はゴルフボールの中心を通る線であるから、目標とゴルフボールの中心とゴルフパターの中心とが直線で結ばれるが、その直線に対しパターフェースを直角にスイングするパッテングの練習が出来る。
【発明を実施するための最良の形態】
【０００８】
図１〜図５に最良の形態の実施例に示す。図１は本発明のゴルフパター練習用補助具１の正面図である。図２は図１の側面図である。図３は図１のゴルフパター練習用補助具を取り付け時の正面図。図４は図３の側面図である。図５はゴルフパター練習のイメージ図である。図３でゴルフパター練習用補助具１の実施例の形態について説明する。まず、ゴルフパター練習用補助具１の照準板２は照準板の蝶番部１５でクリップ８のクリップ片ａ９に取り付けられているが、これはおもに右利き練習者用のゴルフパター練習用補助具１であり、おもに左利き練習者用のゴルフパター練習用補助具１ではクリップ片ｂ１０側に取り付ける。クリップ片ａ９に取り付けられている照準板２を照準板ストッパー部２２がクリップストッパー部２３に当たるまで開くと、照準板２の相対位置確認線４がこれを取り付けたクリップ片ａ９と水平方向直角になるような構造になっているので、照準板２を照準板ストッパー部２２がクリップストッパー部２３に当たるまで開く。
【０００９】
ゴルフパター練習用補助具１のシャフト１３への保持はクリップ８のバネ６の力により保持されている。ゴルフパター練習用補助具１のシャフト１３への取り付けは、パターヘッド１１をソール２４がパターフェース１２の中央真下の点で水平面に接するように置いた時、照準板２をパターフェース１２側にし、クリップのシャフトに取り付け側１４を開き、パターヘッドのヒール２０とパターヘッドのト−２１を貫く鉛直面に水平方向直角で、クリップ８のシャフト取り付け側下部にも表示してある相対位置確認線４をパターヘッド中心線１６と一致させると、照準板２の相対位置確認線４もパターヘッド中心線１６と一致し、クリップ片ａ９のパターフェース並行確認線３とパターフェース１２とが平行になるように取り付けると、照準板２がパターフェース１２に水平方向直角に取り付けられたことになり、相対位置確認線４もパターフェース１２と水平方向直角になる。
【００１０】
次に、パッテング練習をする為にゴルフパターを持ち、ゴルフパターに付けたゴルフパター練習用補助具１の照準板２の相対位置確認線４をゴルフボール５の打つ目標に向け、ゴルフボール中心線１７にパターヘッド中心線１６が一致するようにパターヘッド１１を移動する。パターヘッド１１をソール２４がパターフェース１２の中央真下の点で水平面に接する、通常のアドレスポジションをとって、再度、目標に対し、照準板２の相対位置確認線４の方向を合わせ、ゴルフボール中心線１７にパターヘッド１１を移動してパターヘッド中心線１６を一致させ、練習者の目線を照準板２の相対位置確認線４がゴルフボール５と重なる線が最大の長さで、真下に見下せるように目線を移動する。パターヘッド中心線１６とゴルフボール中心線１７が一致し、照準板２の相対位置確認線４がゴルフボール５と重なる線が最大の長さとなるようにゴルフボール５を見下した時、目線がゴルフボール５の真上となるパッテング姿勢になる。
【００１１】
次に、矯正したパッテング姿勢でゴルフボール５をゴルフパターで打つ為、照準板２の相対位置確認線４をつかい、テークバックを照準板２の相対位置確認線４がゴルフボール５と重なる線が最大となる線と目標の直線に対し、照準板２の相対位置確認線４が真っ直ぐに通過し、パターフェース１２が前記直線と直角になるようにパターヘッド１１を引き、ゴルフボール５を打つ時も、テークバック時と同様の直線に対し、照準板２の相対位置確認線４が真っ直ぐに通過し、パターフェース１２が直線と直角になるようにパターヘッド１１を送り出すスイングする。これにより、練習者の目線がゴルフボール５の真上に矯正されたパッテング姿勢から、ゴルフボール５を打つ目標と、ゴルフボール５の中心と、ゴルフパターの中心とを直線で結んだ目標ラインに、パターフェース１２を直角にスイングしてゴルフボ−ル５を打つパッテング練習が出来る。
【実施例１】
【００１２】
図６、図７に示される実施例では、シャフト１３を挟む部分のクリップ部はシャフト１３にフィットする形状とし、スプリングバネ取り付け部２７にスプリングバネ１９を取り付ける。片方のスプリングバネ１９端が取り外し出来るようにし、ゴルフパター練習用補助具１のシャフト
１３への取り付け、取り外しは、このスプリングバネ１９端の取り付け、取り外しで行なう。パターヘッドのトー２１とパターヘッドのヒール
２０を貫く鉛直面とシャフト１３は角度をもって付いている為、照準板２が取り付けられているクリップ片ａ９に可動部２６を設けて、可動部２６を動かすことにより、照準板２の位置を変えられるようにした実施例である。
【産業上の利用可能性】
【００１３】
本発明は、ゴルフパターの練習用補助具である。
【図面の簡単な説明】
【００１４】
【図１】ゴルフパター練習用補助具の正面図
【図２】図１の側面図
【図３】図１ゴルフパター練習用補助具を取り付け時の正面図
【図４】図３の側面図
【図５】ゴルフパター練習のイメージ図
【図６】照準板腕可動型ゴルフパター練習用補助具正面図
【図７】図６の側面図
【符号の説明】
【００１５】
１、ゴルフパター練習用補助具
２、照準板
３、パターフェース並行確認線
４、相対位置確認線
５、ゴルフボール
６、バネ
７、軸
８、クリップ
９、クリップ片ａ
１０、クリップ片ｂ
１１、パターヘッド
１２、パターフェース
１３、シャフト 
１４、クリップのシャフトに取り付け側
１５、照準板の蝶番部
１６、パターヘッド中心線
１７、ゴルフボール中心線
１８、ゴルフボール確認目線
１９、スプリングバネ
２０、パターヘッドのヒール
２１、パターヘッドのトー
２２、照準板ストッパー部
２３、クリップストッパー部
２４、ソール
２５、滑り止め
２６、可動部
２７、スプリングバネ取り付け部
【図１】
2011087687.tif 000003
【図２】
2011087687.tif 000004
【図３】
2011087687.tif 000005
【図４】
2011087687.tif 000006
【図５】
2011087687.tif 000007
【図６】
2011087687.tif 000008
【図７】
2011087687.tif 000009